(57)【特許請求の範囲】
【請求項１】
扉類の上端面にその長手方向に沿って取っ手が設けられ、フックで引っ掛ける形式の小物入れを備えているキャビネットであって、上記の取っ手の後面に、上記のフックを引っ掛けるための引っ掛け箇所が形成されていることを特徴とする小物入れ付きキャビネット。
【請求項２】
請求項１記載のキャビネットであって、引っ掛け箇所が、取っ手の前面と後面の両面に、この前面と後面から食み出さないよう、取っ手内に納められて形成されていることを特徴とする小物入れ付きキャビネット。
【請求項３】
請求項１又は２記載のキャビネットであって、引っ掛け箇所が、取っ手の長手方向に延びて起立状に形成されていることを特徴とする小物入れ付きキャビネット。
【請求項４】
請求項３記載のキャビネットであって、引っ掛け箇所の上端に、小物入れのフックと係合する凸段差部が、取っ手の内側に突き出されると共に、取っ手の長手方向に延ばされて形成され、フックの開放状の下端が、上記の凸段差部の下側に回り込んでこの凸段差部を内包するよう形成されていることを特徴とする小物入れ付きキャビネット。
【請求項５】
請求項１乃至４の何れかに記載のキャビネットであって、扉類の裏側から取っ手を扉類にねじ止めするための板片部を取っ手が垂下状に備えて形成されていることを特徴とする小物入れ付きキャビネット。
【請求項６】
請求項１乃至５の何れかに記載のキャビネットであって、フックが形成されている小物入れの外側面に、小物入れを懸吊したときこの外側面と対向する面に当接して小物入れを垂直に保持する間隔保持材が設けられていることを特徴とする小物入れ付きキャビネット。
【発明の詳細な説明】
【技術分野】
【０００１】
本発明は、流し台等のキャビネットに関し、更に詳しくは着脱自在の小物入れを備えている小物入れ付きキャビネットに関するものである。
【背景技術】
【０００２】
従来この種のキャビネットとしては、例えば特許文献１に記載されているものがある。この従来品は、引き出しの前板の裏側の位置に、小物入れとしてのポケットを脱着自在に設けているものである。この従来品は、引き出しの両側に前後方向に延びるよう設けられているガードパイプに仕切パイプを架け渡し、この仕切パイプにポケットを掛け止めて固定していた。
【０００３】
従って従来品によると、ポケットを仕切パイプに固定した後で、仕切パイプを移動すると、ポケットも一緒に移動してしまい、収納スペースに影響を与える、という問題があった。また仕切パイプに固定せずにポケットを収納すると、引き出しを引き出す際にポケットが倒れる不具合を生じる虞があった。また従来品は、扉（開き戸）に適用できなかった。
而して最近の、例えば流し台等のキャビネットは、扉類の上端面にその長手方向に沿って取っ手を設け、前面がスッキリした印象のデザインのものがユーザーに好まれ、主流である。
【先行技術文献】
【特許文献】
【０００４】
【特許文献１】特開２００４−２９０４２０号公報
【発明の概要】
【発明が解決しようとする課題】
【０００５】
本発明は、このような従来の実情に鑑み、提案されたものである。
従って本発明の解決しようとする技術的課題は、扉類の上端面にその長手方向に沿って取っ手が設けられているキャビネットにおいて、収納スペースに影響を与えたり、引き出しを引き出す際に倒したりすることなく小物入れを使用でき、また扉にも適用できるよう形成した小物入れ付きキャビネットを提供することにある。
【課題を解決するための手段】
【０００６】
本発明は、上記の課題を解決するため、次のような技術的手段を採る。
即ち本発明は、図１等に示されるように、扉類１の上端面にその長手方向に沿って取っ手２が設けられ、フック３で引っ掛ける形式の小物入れ４を備えているキャビネットであって、上記の取っ手２の後面に、上記のフック３を引っ掛けるための引っ掛け箇所２ａが形成されていることを特徴とする（請求項１）。
【０００７】
ここで、扉類１とは、例えば開き戸や引き出しの前板を意味する。取っ手２は、縦断面が例えばコの字形等に形成され、引っ掛け箇所２ａと共に押し出し成形で一体成形されているのが良い。
【０００８】
而して本発明は、引っ掛け箇所２ａが、取っ手２の前面と後面の両面に、この前面と後面から食み出さないよう、取っ手２内に納められて形成されているのが好ましい（請求項２）。
なぜならこれによると、取っ手２の両側に小物入れ４を吊り下げることができ、使い勝手が良くなるからである。またこの場合は、引っ掛け箇所２ａが扉類１の前面と後面から外側に突き出されないため、これによると、引っ掛け箇所２ａが庫内の収納物の取り出しに支障を及ぼすことがなく、また庫内の収納スペースを狭めることがないからである。
【０００９】
また本発明のキャビネットは、引っ掛け箇所２ａが、取っ手２の長手方向に延びて起立状に形成されているのが好ましい（請求項３）。
なぜならこれによると、小物入れ４を取っ手２の長手方向のどの位置でも吊り下げることができ、また小物入れ４をスライドさせて引っ掛け位置を簡単に調節できることからである。ここで、起立状とは、垂直のほか、多少傾斜している場合も含まれる。
【００１０】
またこの場合、本発明は、引っ掛け箇所２ａの上端に、小物入れ４のフック３と係合する凸段差部２ｈが、取っ手２の内側に突き出されると共に、取っ手２の長手方向に延ばされて形成され、フック３の開放状の下端３ａが、上記の凸段差部２ｈの下側に回り込んでこの凸段差部２ｈを内包するよう形成されているのが好ましい（請求項４）。
なぜならこれによると、振動や衝撃等で小物入れ４が過って脱落することを防止できるからである。
【００１１】
また本発明は、図７等に示されるように、扉類１の裏側から取っ手２を扉類１にねじ止めするための板片部２ｉを取っ手２が垂下状に備えて形成されているのが好ましい（請求項５）。
なぜならこれによると、図１等に示される取っ手２に比べ、扉類１の正面に現れる取っ手２の高さを低く抑えることができ、扉類１の正面の意匠性を損なうことなく、取っ手２に小物入れ４を引っ掛けることができるからである。
【００１２】
更に本発明は、図１Ｂ等に示されるように、フック３が形成されている小物入れ４の外側面４ａに、小物入れ４を懸吊したときこの外側面４ａと対向する面に当接して小物入れ４を垂直に保持する間隔保持材６が設けられているのが好ましい（請求項６）。
なぜならこれによると、小物入れ４を垂直に安定した姿勢で懸吊でき、ガタツキを防止できるからである。またこの場合は、間隔保持材６を柔軟質の材料で形成すれば、小物入れ４を吊るしたときの衝撃を緩和できるからである。
【発明の効果】
【００１３】
本発明は、このように扉類の上端面に、その長手方向に沿って取っ手が設けられているキャビネットにおいて、上記の取っ手の後面に、小物入れのフックを引っ掛けるための引っ掛け箇所が形成されているものである。
従って本発明によれば、収納スペースに影響を与えたり、引き出しを引き出す際に倒したりすることなく小物入れを使用でき、また扉にも適用できる。
【図面の簡単な説明】
【００１４】
【図１】本発明キャビネットの好適な一実施形態を示し、Ａは要部縦断面図、Ｂは要部斜視図である。
【図２】A、Bとも同上キャビネットの要部縦断面図である。
【図３】同上キャビネットの要部縦断面図である。
【図４】同上キャビネットの要部拡大側面図である。
【図５】扉類の表側から見た要部斜視図である。
【図６】扉類の裏側から見た要部斜視図である。
【図７】取っ手の他の実施形態を示し、A、Bとも要部縦断面図である。
【図８】図７の本発明品の要部斜視図である。
【発明を実施するための形態】
【００１５】
以下、本発明を実施するための好適な一実施形態を添付図面に従って説明する。
本発明のキャビネットは、図１等に示されるように、開き戸や引き出しの前板等の扉類１の上端面にその長手方向に沿って取っ手２が設けられ、フック３で引っ掛ける形式の小物入れ４を備えて形成されている。この実施形態の本発明品は、流し台であり、上面はカウンター面５に形成されている。
【００１６】
而してこの実施形態の本発明品は、上記の取っ手２の前面と後面の両面に、小物入れ４のフック３を引っ掛けるための引っ掛け箇所２ａが形成されている。この引っ掛け箇所２ａは、この実施形態では取っ手２の前面と後面から食み出さないよう、取っ手２内に納められて、且つ高さ違いに形成されている。
【００１７】
取っ手２は、具体的には前面に手掛かり用の凹み２ｂが長手方向に延ばされて形成され、上面部２ｃの先端が下方に屈曲されて手掛かり２ｄに形成されている。そして前側の引っ掛け箇所２ａは、手掛かり２ｄの下方に、取っ手２の前面と垂直面を同一にして起立板片状に形成され、且つ取っ手２の長手方向に延ばされて形成されている。なおこの実施形態では、取っ手２の前面の下端２ｅが、取っ手２の底板２ｆより少し下方に延ばされ、この延長状の下端２ｅと底板２ｆとを扉類１の上端の前側の角に係合させて取っ手２を固定できるよう形成されている。
【００１８】
また取っ手２は、裏面の略中央部から下側が内方に深く凹まれている。そして後側の引っ掛け箇所２ａは、底板２ｆの後縁から、取っ手２の後面と垂直面を同一にして起立板片状に、且つ取っ手２の長手方向に延ばされて形成されている。なお、取っ手２は、底板２ｆから下方に突き出されている鏃２ｇを、扉類１の上端面に打ち込むことで固定される。
【００１９】
またこの実施形態の本発明は、引っ掛け箇所２ａの上端に、小物入れ４のフック３と係合する凸段差部２ｈが、取っ手２の内側に突き出されると共に、取っ手２の長手方向に延ばされて形成されている。凸段差部２ｈは、フック３の先端の内側とフィットするよう、フック３の先端の内側形状に合わされて形成されている。
【００２０】
またフック３は、その開放状の下端３ａが、上記の凸段差部２ｈの下側に回り込んでこの凸段差部２ｈを内包するよう形成されている。具体的には、図３、図４に示されるように、フック３の出入口の幅Ｈ１が、凸段差部２ｈの厚みＨ２より小さく選定されている。これによりフック３は、凸段差部２ｈに一旦係合すると、凸段差部２ｈの下側に下端３ａが係止し、凸段差部２ｈから外れ難くなるものである。
【００２１】
また図１Ｂ等に示されるように、この実施形態の小物入れ４は、フック３が形成されている外側面４ａに、小物入れ４を懸吊したときこの外側面４ａと対向する面に当接して小物入れ４を垂直に保持する間隔保持材６が設けられている。この間隔保持材６は、この実施形態では外側面４ａの上下位置に、横方向に平行に延ばされ、上下一対状に設けられ、その厚みは外側面４ａから取っ手２の前面までの距離（図２Ａ参照）、或いは外側面４ａから扉類１の後面までの距離（図２Ｂ参照）に合わされている。またこの間隔保持材６は、緩衝機能を持つよう、例えば軟質樹脂材やゴム材等で形成されている。
なお、この場合、間隔保持材６は、このような上下一対のものに限定されるものではなく、例えば半球状や四角形状に形成され、小物入れ４を垂直に保持可能な場所に適宜配置されているので良い。
【００２２】
次に本発明品の使用例を説明する。
ユーザーは、図１Bに示されるように、取っ手２の前側又は後側の引っ掛け箇所２ａに、小物入れ４のフック３を引っ掛けて使用する。この場合、本発明品が、小物入れ４を複数備えているときは、前側と後側の両方の引っ掛け箇所２ａに小物入れ４を引っ掛けて使用するのでも良い。
【００２３】
而してこの実施形態の本発明品は、フック３が引っ掛け箇所２ａの凸段差部２ｈと係合するよう形成されている。従って小物入れ４は、フック３が引っ掛け箇所２ａに引っ掛けられると、多少の振動や衝撃では脱落することがない。またこの実施形態の場合、引っ掛け箇所２ａは、両方とも取っ手２の長手方向に延ばされて形成されている。
【００２４】
従って、図５、図６に示されるように、小物入れ４は、引っ掛け箇所２ａに案内されて横方向にスライド可能に懸吊される。またこれによると、小物入れ４の吊り下げ位置を変えたいときは、引っ掛け直すことなく、簡単、迅速に吊り下げ位置を調節できる。
なお、この実施形態の小物入れ４は、引っ掛けられると、間隔保持材６が取っ手２の前面（図２Ａ参照）や、扉類１の裏面（図２Ｂ参照）に当接するため、ガタつくことなく垂直状に懸吊される。
【００２５】
以上の処において、引っ掛け箇所２ａは、取っ手２の後面から食み出され、後面から突き出されているのでも良い。
また上例では、前側の引っ掛け箇所２ａが、後側の引っ掛け箇所２ａより高い位置に形成されているが、本発明はこれに限定されるものではなく、前後の引っ掛け箇所２ａの形成位置や高さは、自由である。
【００２６】
またフック３の高さや形成位置は、図１、図２等に示されるように、小物入れ４の上面４ｂから立ち上げられているのでも、或いは図３等に示されるように、小物入れ４の上面４ｂから立ち下げられているのでも良く、その形成位置や形状は自由である。
【００２７】
また本発明は、図７、図８に示されるように、扉類１の裏側から取っ手２を扉類１にねじ止めするための板片部２ｉを取っ手２が垂下状に備えて形成されているのでも良い。板片部２ｉは、この実施形態では取っ手２の本体の後面から前側に所定の距離だけずらされ、下端は側面視でL字形に屈曲され、後端が起立されて引っ掛け箇所２ａに形成されている。また板片部２ｉは、ねじ孔２ｊを複数備えて形成されている。
なお、この本発明の場合、引っ掛け箇所２ａは、板片部２ｉの、例えば上端付近に形成されるのでも良く、その形成位置は自由である。
【００２８】
而してこの実施形態の場合、扉類１の上端の後側は、取っ手２の底板２ｆと板片部２ｉに係合するよう凹段差状に形成されている。そして、この垂直状の段差面１ａに、板片部２ｉがあてがわれ、取っ手２は扉類１の後側からねじ７で取り付けられている。
【符号の説明】
【００２９】
１      扉類
２      取っ手
２ａ    引っ掛け箇所
３      フック
４      小物入れ
【図１】
0005423304.tif 000002
【図２】
0005423304.tif 000003
【図３】
0005423304.tif 000004
【図４】
0005423304.tif 000005
【図５】
0005423304.tif 000006
【図６】
0005423304.tif 000007
【図７】
0005423304.tif 000008
【図８】
0005423304.tif 000009